(57)【要約】【課題】ボタンの視認性を向上させること。【解決手段】医療用撮像装置５は、被検体内に挿入されるとともに当該被検体からの被写体像を取り込む挿入部が接続され、ユーザによって把持される筐体５１と、筐体５１の外面に設けられ、ユーザによる操作を受け付けるボタン５６Ｂを有する操作部５６と、透光性を有するとともに筐体５１に設けられることで筐体５１を密閉する透過部材５７と、透過部材５７にて密閉された筐体５１の内部空間Ｓｐに設けられ、透過部材５７を介して操作部５６を照明するための光を出射する発光素子５８と、被写体像を撮像する撮像素子５４１と、被写体像を撮像素子５４１に結像するレンズユニット５３と、を備える。【選択図】図４
2020127619.tif 000002
【特許請求の範囲】
【請求項１】
被検体内に挿入されるとともに当該被検体からの被写体像を取り込む挿入部が接続され、ユーザによって把持される筐体と、
前記筐体の外面に設けられ、ユーザによる操作を受け付けるボタンを有する操作部と、
透光性を有するとともに前記筐体に設けられることで前記筐体を密閉する透過部材と、
前記透過部材にて密閉された前記筐体の内部空間に設けられ、前記透過部材を介して前記操作部を照明するための光を出射する発光素子と、
前記被写体像を撮像する撮像素子と、
前記被写体像を前記撮像素子に結像するレンズユニットと、を備える医療用撮像装置。
【請求項２】
前記筐体には、
前記筐体の内外を貫通する貫通孔が設けられ、
前記透過部材は、
前記貫通孔内に設けられている請求項１に記載の医療用撮像装置。
【請求項３】
前記操作部は、
前記透過部材の少なくとも一部を覆う状態で前記筐体の外面に設けられ、
前記ボタンは、
透光性を有し、前記発光素子から出射され、前記透過部材を介した光を裏面側から外表面側に向けて透過させる請求項１に記載の医療用撮像装置。
【請求項４】
前記操作部は、
前記筐体の外面と前記ボタンとの間に設けられ、ユーザによる前記ボタンへの操作を検知するスイッチ素子が実装された操作基板をさらに備え、
前記操作基板は、
前記発光素子から出射され、前記透過部材を介して前記ボタンに向かう光の通過領域を避けた領域に設けられている請求項３に記載の医療用撮像装置。
【請求項５】
前記ボタンは、
複数、設けられ、
前記透過部材は、
前記操作部における複数の前記ボタンの間の位置に対向する位置に設けられている請求項３に記載の医療用撮像装置。
【請求項６】
前記撮像素子は、
前記内部空間に設けられ、
前記医療用撮像装置は、
前記内部空間における前記発光素子と前記撮像素子との間に位置し、前記発光素子から前記撮像素子に向かう光を遮光する遮光部材をさらに備える請求項１に記載の医療用撮像装置。
【請求項７】
前記発光素子と電気的に接続し、前記発光素子への電力の供給経路となるフレキシブルプリント基板をさらに備え、
前記フレキシブルプリント基板は、
前記遮光部材である請求項６に記載の医療用撮像装置。
【請求項８】
前記筐体には、
前記筐体の内外を貫通する貫通孔が設けられ、
前記透過部材は、
前記貫通孔内に設けられ、
前記撮像素子は、
前記内部空間において、前記貫通孔内に設けられている請求項１に記載の医療用撮像装置。
【発明の詳細な説明】
【技術分野】
【０００１】
本発明は、医療用撮像装置に関する。
【背景技術】
【０００２】
従来、撮像素子を用いて人等の被検体内（生体内）を撮像し、当該生体内を観察する医療用観察システムが知られている（例えば、特許文献１参照）。
特許文献１に記載の医療用観察システム（医療用内視鏡システム）は、被検体内に挿入されるとともに当該被検体からの被写体像を取り込む挿入部（硬性鏡）と、当該挿入部が着脱自在に接続され、当該挿入部にて取り込まれた被写体像を撮像する撮像素子を含む医療用撮像装置（内視鏡用カメラヘッド）とを備える。
ここで、医療用撮像装置は、撮像素子等を収納する筐体と、当該筐体の外面に設けられ、ユーザによる操作を受け付けるボタンを有する操作部とを備える。
【先行技術文献】
【特許文献】
【０００３】
【特許文献１】特開２０１８−１５３４７２号公報
【発明の概要】
【発明が解決しようとする課題】
【０００４】
ところで、医療用撮像装置は、薄暗い環境下で使用されることがある。すなわち、医療用撮像装置の使用時には、当該医療用撮像装置の操作部に設けられたボタンの視認性が悪くなる。このため、医師等のユーザは、医療用撮像装置の操作部に設けられたボタンのうち所望の機能を実行するためのボタンを押下する際、どのボタンが所望の機能を実行するためのボタンであるかを判断することが難しい、という問題がある。
【０００５】
本発明は、上記に鑑みてなされたものであって、ボタンの視認性を向上させることができる医療用撮像装置を提供することを目的とする。
【課題を解決するための手段】
【０００６】
上述した課題を解決し、目的を達成するために、本発明に係る医療用撮像装置は、被検体内に挿入されるとともに当該被検体からの被写体像を取り込む挿入部が接続され、ユーザによって把持される筐体と、前記筐体の外面に設けられ、ユーザによる操作を受け付けるボタンを有する操作部と、透光性を有するとともに前記筐体に設けられることで前記筐体を密閉する透過部材と、前記透過部材にて密閉された前記筐体の内部空間に設けられ、前記透過部材を介して前記操作部を照明するための光を出射する発光素子と、前記被写体像を撮像する撮像素子と、前記被写体像を前記撮像素子に結像するレンズユニットと、を備える。
【０００７】
また、本発明に係る医療用撮像装置では、上記発明において、前記筐体には、前記筐体の内外を貫通する貫通孔が設けられ、前記透過部材は、前記貫通孔内に設けられている。
【０００８】
また、本発明に係る医療用撮像装置では、上記発明において、前記操作部は、前記透過部材の少なくとも一部を覆う状態で前記筐体の外面に設けられ、前記ボタンは、透光性を有し、前記発光素子から出射され、前記透過部材を介した光を裏面側から外表面側に向けて透過させる。
【０００９】
また、本発明に係る医療用撮像装置では、上記発明において、前記操作部は、前記筐体の外面と前記ボタンとの間に設けられ、ユーザによる前記ボタンへの操作を検知するスイッチ素子が実装された操作基板をさらに備え、前記操作基板は、前記発光素子から出射され、前記透過部材を介して前記ボタンに向かう光の通過領域を避けた領域に設けられている。
【００１０】
また、本発明に係る医療用撮像装置では、上記発明において、前記ボタンは、複数、設けられ、前記透過部材は、前記操作部における複数の前記ボタンの間の位置に対向する位置に設けられている。
【００１１】
また、本発明に係る医療用撮像装置では、上記発明において、前記撮像素子は、前記内部空間に設けられ、前記医療用撮像装置は、前記内部空間における前記発光素子と前記撮像素子との間に位置し、前記発光素子から前記撮像素子に向かう光を遮光する遮光部材をさらに備える。
【００１２】
また、本発明に係る医療用撮像装置では、上記発明において、前記発光素子と電気的に接続し、前記発光素子への電力の供給経路となるフレキシブルプリント基板をさらに備え、前記フレキシブルプリント基板は、前記遮光部材である。
【００１３】
また、本発明に係る医療用撮像装置では、上記発明において、前記筐体には、前記筐体の内外を貫通する貫通孔が設けられ、前記透過部材は、前記貫通孔内に設けられ、前記撮像素子は、前記内部空間において、前記貫通孔内に設けられている。
【発明の効果】
【００１４】
本発明に係る医療用撮像装置によれば、ボタンの視認性を向上させることができる。
【図面の簡単な説明】
【００１５】
【図１】図１は、実施の形態に係る医療用観察システムの概略構成を示す図である。
【図２】図２は、内視鏡用カメラヘッドを示す図である。
【図３】図３は、内視鏡用カメラヘッドを示す図である。
【図４】図４は、操作部、透過部材、及び発光素子の構成を示す断面図である。
【図５】図５は、操作基板と内部基板との接続構造を示す断面図である。
【発明を実施するための形態】
【００１６】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１７】
〔医療用観察システムの概略構成〕
図１は、本実施の形態に係る医療用観察システム１の概略構成を示す図である。
医療用観察システム１は、医療分野において用いられ、被検体内（生体内）を観察するシステムである。この医療用観察システム１は、図１に示すように、挿入部２と、光源装置３と、ライトガイド４と、内視鏡用カメラヘッド５と、第１伝送ケーブル６と、表示装置７と、第２伝送ケーブル８と、制御装置９と、第３伝送ケーブル１０とを備える。
【００１８】
本実施の形態では、挿入部２は、硬性内視鏡で構成されている。すなわち、挿入部２は、全体が硬質、または一部が軟質で他の部分が硬質である細長形状を有し、生体内に挿入される。この挿入部２内には、１または複数のレンズを用いて構成され、生体内からの光（被写体像）を集光する光学系が設けられている。
光源装置３は、ライトガイド４の一端が接続され、制御装置９による制御の下、当該ライトガイド４の一端に生体内を照明するための光を供給する。
なお、本実施の形態では、光源装置３は、制御装置９とは別体で構成されているが、これに限らず、当該制御装置９内部に設けられた構成を採用しても構わない。
【００１９】
ライトガイド４は、一端が光源装置３に着脱自在に接続するとともに、他端が挿入部２に着脱自在に接続する。そして、ライトガイド４は、光源装置３から供給された光を一端から他端に伝達し、挿入部２に供給する。挿入部２に供給された光は、当該挿入部２の先端から出射され、生体内に照射される。生体内に照射され、当該生体内で反射された光（被写体像）は、挿入部２内の光学系にて集光される。
【００２０】
内視鏡用カメラヘッド５は、本発明に係る医療用撮像装置に相当する。この内視鏡用カメラヘッド５は、挿入部２の基端（接眼部２１（図１））に着脱自在に接続される。そして、内視鏡用カメラヘッド５は、制御装置９による制御の下、挿入部２にて集光された被写体像を撮像し、当該撮像による画像信号（ＲＡＷ信号）を出力する。当該画像信号は、例えば、４Ｋ以上の画像信号である。
なお、内視鏡用カメラヘッド５の詳細な構成については、後述する。
【００２１】
第１伝送ケーブル６は、一端がコネクタＣＮ１（図１）を介して制御装置９に着脱自在に接続され、他端がコネクタＣＮ２（図１）を介して内視鏡用カメラヘッド５に着脱自在に接続される。そして、第１伝送ケーブル６は、内視鏡用カメラヘッド５から出力される画像信号等を制御装置９に伝送するとともに、制御装置９から出力される制御信号、同期信号、クロック、及び電力等を内視鏡用カメラヘッド５にそれぞれ伝送する。
なお、第１伝送ケーブル６を介した内視鏡用カメラヘッド５から制御装置９への画像信号等の伝送は、当該画像信号等を光信号で伝送してもよく、あるいは、電気信号で伝送しても構わない。第１伝送ケーブル６を介した制御装置９から内視鏡用カメラヘッド５への制御信号、同期信号、クロックの伝送も同様である。
【００２２】
表示装置７は、液晶または有機ＥＬ（Electro  Luminescence）等を用いた表示ディスプレイで構成され、制御装置９による制御の下、当該制御装置９からの映像信号に基づく観察画像を表示する。
第２伝送ケーブル８は、一端が表示装置７に着脱自在に接続され、他端が制御装置９に着脱自在に接続される。そして、第２伝送ケーブル８は、制御装置９にて処理された映像信号を表示装置７に伝送する。
【００２３】
制御装置９は、ＣＰＵ（Central  Processing  Unit）等を含んで構成され、光源装置３、内視鏡用カメラヘッド５、及び表示装置７の動作を統括的に制御する。
具体的に、制御装置９は、第１伝送ケーブル６を介して内視鏡用カメラヘッド５から取得した画像信号に対して種々の処理を施すことで映像信号を生成し、第２伝送ケーブル８を介して当該映像信号を表示装置７に出力する。そして、表示装置７は、当該映像信号に基づく画像を表示する。また、制御装置９は、第１，第３伝送ケーブル６，１０を介して、内視鏡用カメラヘッド５や光源装置３に対して制御信号等を出力する。
第３伝送ケーブル１０は、一端が光源装置３に着脱自在に接続され、他端が制御装置９に着脱自在に接続される。そして、第３伝送ケーブル１０は、制御装置９からの制御信号を光源装置３に伝送する。
【００２４】
〔内視鏡用カメラヘッドの構成〕
次に、内視鏡用カメラヘッド５の構成について説明する。
図２及び図３は、内視鏡用カメラヘッド５を示す図である。具体的に、図２は、内視鏡用カメラヘッド５の外観を示す斜視図である。図３は、内視鏡用カメラヘッド５の内部構成を示す断面図である。
なお、図２及び図３では、説明の便宜上、挿入部２の基端（接眼部２１）が接続される側を先端側Ａｒ１とし、第１伝送ケーブル６が接続される側を基端側Ａｒ２としている。また、図３では、説明の便宜上、透過部材５７及び発光素子５８の図示を省略している。
内視鏡用カメラヘッド５は、図２または図３に示すように、筐体５１と、光学素子５２（図３）と、レンズユニット５３（図３）と、撮像部５４（図３）と、第１のハーメチックコネクタ５５と、操作部５６と、透過部材５７（図４参照）と、発光素子５８（図４参照）とを備える。
【００２５】
筐体５１は、挿入部２が接続されるとともに医師等のユーザによって把持される部分である。本実施の形態では、筐体５１は、図３に示すように、前部筐体５１Ａと、後部筐体５１Ｂとの２体で構成されている。
前部筐体５１Ａは、光学素子５２を保持するとともに、当該光学素子５２を後部筐体５１Ｂに固定する部材であり、アルミニウム、アルミニウム合金、ステンレス、チタン、及びチタン合金等で構成されている。この前部筐体５１Ａは、図３に示すように、第１，第２筒部５１１，５１２と、接続部５１３とを備える。
【００２６】
第１筒部５１１は、筒状（例えば、円筒状）に形成され、第２筒部５１２及び接続部５１３よりも先端側Ａｒ１に位置する。そして、第１筒部５１１は、内周面にて光学素子５２を保持する。
第２筒部５１２は、第１筒部５１１の外形サイズよりも大きい内径サイズを有する筒状（例えば、円筒状）に形成されている。
接続部５１３は、環状（例えば、円環状）に形成され、第１，第２筒部５１１，５１２同士を接続する。
そして、第１，第２筒部５１１，５１２及び接続部５１３は、互いの中心軸が一致するように一体形成されている。
【００２７】
後部筐体５１Ｂは、アルミニウム、アルミニウム合金、ステンレス、チタン、及びチタン合金等で構成されている。この後部筐体５１Ｂは、図３に示すように、先端側Ａｒ１の端部及び基端側Ａｒ２の端部にそれぞれ先端側開口５１４及び基端側開口５１５を有する筒状に形成されている。より具体的に、後部筐体５１Ｂは、先端側Ａｒ１の端部から基端側Ａｒ２に向けて略同一の内形サイズで延在するとともに、基端側Ａｒ２の端部にて内形サイズが絞られた形状を有する。
そして、前部筐体５１Ａ及び後部筐体５１Ｂは、第２筒部５１２が先端側開口５１４内に嵌合した状態で溶接されることで互いに固定されている。すなわち、前部筐体５１Ａ及び後部筐体５１Ｂ間は、気密に封止されている。
【００２８】
光学素子５２は、第１筒部５１１内に例えばろう接にて固定され、筐体５１の先端側Ａｒ１の開口を気密に封止する。この光学素子５２は、例えば、平板状のサファイアガラスで構成されている。
レンズユニット５３は、挿入部２にて集光され、光学素子５２を介した被写体像を撮像部５４（撮像素子５４１）の撮像面に結像する。
撮像部５４は、制御装置９による制御の下、生体内を撮像する。この撮像部５４は、挿入部２にて集光され、光学素子５２を介してレンズユニット５３が結像した被写体像を受光して電気信号に変換するＣＣＤ（Charge  Coupled  Device）またはＣＭＯＳ（Complementary  Metal  Oxide  Semiconductor）等の撮像素子５４１と、撮像素子５４１からの電気信号（アナログ信号）に対して信号処理（Ａ／Ｄ変換等）を行って画像信号（ＲＡＷ信号（デジタル信号））を出力する信号処理部（図示略）等を備える。
【００２９】
第１のハーメチックコネクタ５５は、図２に示すように、筒状（例えば、円筒状）の外郭５５１と、当該外郭５５１内を閉塞する板体５５２と、当該板体５５２の表裏を貫通し、互いに絶縁された状態で当該板体５５２に取り付けられるとともに撮像部５４と電気的に接続する複数の導電ピン５５３とを備える。ここで、外郭５５１は、アルミニウム、アルミニウム合金、ステンレス、チタン、及びチタン合金等で構成されている。そして、第１のハーメチックコネクタ５５は、外郭５５１が基端側開口５１５の内面に対して溶接にて固定され、当該基端側開口５１５を気密に封止する。
【００３０】
以上説明した第１のハーメチックコネクタ５５には、コネクタＣＮ２が着脱自在に接続される。
ここで、コネクタＣＮ２は、筒状（例えば、円筒状）の外郭（図示略）と、当該外郭内を閉塞するインシュレータ（図示略）と、当該インシュレータに設けられた複数のコンタクト（図示略）とを備える。当該複数のコンタクトは、第１のハーメチックコネクタ５５にコネクタＣＮ２が装着された際に当該第１のハーメチックコネクタ５５の複数の導電ピン５５３がそれぞれ挿入されて当該複数の導電ピン５５３にそれぞれ電気的に接続するとともに、第１伝送ケーブル６に電気的に接続する。
すなわち、撮像部５４から出力された画像信号（ＲＡＷ信号（デジタル信号））は、第１のハーメチックコネクタ５５及びコネクタＣＮ２を介して、第１伝送ケーブル６に出力される。また、制御装置９から出力された制御信号等は、第１伝送ケーブル６、コネクタＣＮ２、及び第１のハーメチックコネクタ５５を介して、筐体５１内の電子部品（撮像部５４を含む）に出力される。
【００３１】
図４は、操作部５６、透過部材５７、及び発光素子５８の構成を示す断面図である。
操作部５６は、図４に示すように、後部筐体５１Ｂの外面に対して溶接にて固定されたナットＮｕと当該ナットＮｕに締結されるネジＳｃを利用して、当該後部筐体５１Ｂの外面に取り付けられている。そして、操作部５６は、医師等のユーザによる操作を受け付ける。この操作部５６は、図４に示すように、ボタン枠５６Ａと、複数のボタン５６Ｂと、操作基板５６Ｃとを備える。
【００３２】
ボタン枠５６Ａは、図４中、下方側が開口した容器状に形成されている。このボタン枠５６Ａの底面（図４中、上方側の面）には、当該ボタン枠５６Ａの内外をそれぞれ貫通する複数の開口部５６１が形成されている。また、ボタン枠５６Ａの底面には、図４中、下方側に向けて窪む凹部５６２が形成されている。さらに、凹部５６２の底部には、ネジＳｃが挿通される挿通孔５６３が形成されている。そして、ボタン枠５６Ａは、挿通孔５６３を介してネジＳｃをナットＮｕに締結することで、当該ネジＳｃにて後部筐体５１Ｂの外面に取り付けられる。
【００３３】
複数のボタン５６Ｂは、医師等のユーザによる操作を受け付ける（ユーザにより押下される）部分である。このボタン５６Ｂは、図４に示すように、ボタン本体５６４と、ピン５６５と、ガイド部材５６６とを備える。
ボタン本体５６４は、透光性を有する弾性部材で構成され、図４中、下方側が開口した容器状に形成され、開口部５６１を介してボタン枠５６Ａの外部に露出した状態で配置されている。本実施の形態では、複数のボタン５６Ｂをそれぞれ構成する各ボタン本体５６４は、当該ボタン本体５６４における容器状の開口側が当該ボタン本体５６４と同一材料で構成された板状の基部５６７（図４）によって相互に接続されている。また、ボタン本体５６４において、開口部５６１を介してボタン枠５６Ａの外部に露出した外表面には、当該ボタン本体５６４を押下した際に実行される機能を識別する文字５６４Ａ（図２，図４）が設けられている。本実施の形態では、成型によってボタン本体５６４の外表面の一部を突出させることで当該文字５６４Ａを設けているが、これに限らず、成型によってボタン本体５６４の外表面の一部を内部に窪ませることで当該文字５６４Ａを設けても構わない。
【００３４】
ピン５６５は、ボタン本体５６４内において、一端がボタン本体５６４における底部に固定され、当該一端から図４中、下方側に延在した状態で配置されている。そして、ピン５６５は、ボタン本体５６４が医師等のユーザによって押下されることで変形した場合に、当該変形に伴って操作基板５６Ｃ（スイッチ素子５６８）を押圧するまで図４中、下方側に移動する。また、ボタン本体５６４が元の状態に戻ると、ピン５６５は、操作基板５６Ｃから離間する。
【００３５】
ガイド部材５６６は、ボタン本体５６４と同様に、透光性を有する弾性部材で構成されている。このガイド部材５６６は、ピン５６５が挿通される円筒形状を有し、ボタン本体５６４内に圧入されている。そして、ガイド部材５６６は、医師等のユーザによるボタン本体５６４への操作に応じたピン５６５の図４中、上下移動を案内する。
【００３６】
なお、本実施の形態では、複数のボタン５６Ｂのうち、一対のボタン５６Ｂ１，５６Ｂ２は、図２または図４に示すように、互いに一体的に形成され、ボタン枠５６Ａにおける複数の開口部５６１のうち、１つの開口部５６１Ａ内に配置されている。より具体的に、一対のボタン５６Ｂ１，５６Ｂ２では、各ボタン本体５６４が一体形成されるとともに各ガイド部材５６６が一体形成され、各ピン５６５がそれぞれ独立して設けられている。
【００３７】
操作基板５６Ｃは、図４に示すように、後部筐体５１Ｂの外面に取り付けられ、ボタン枠５６Ａにて覆われる。すなわち、操作基板５６Ｃは、後部筐体５１Ｂの外面と複数のボタン５６Ｂとの間に設けられている。この操作基板５６Ｃには、複数のボタン５６Ｂに対応して複数のスイッチ素子５６８が実装されている。そして、操作基板５６Ｃ（スイッチ素子５６８）は、医師等のユーザによるボタン５６Ｂへの操作に応じた操作信号を後部筐体５１Ｂ内に配置された内部基板５９に出力する。
ここで、内部基板５９は、第１のハーメチックコネクタ５５、コネクタＣＮ２、及び第１伝送ケーブル６を介して、制御装置９と電気的に接続する。すなわち、操作基板５６Ｃ（スイッチ素子５６８）からの操作信号は、内部基板５９、第１のハーメチックコネクタ５５、コネクタＣＮ２、及び第１伝送ケーブル６を介して、制御装置９に出力される。
【００３８】
図５は、操作基板５６Ｃと内部基板５９との接続構造を示す断面図である。
操作基板５６Ｃ及び内部基板５９は、図５に示すように、第２のハーメチックコネクタ５０を介して互いに電気的に接続される。
ここで、第２のハーメチックコネクタ５０は、図５に示すように、筒状（例えば、円筒状）の外郭５０１と、ガラス等で構成され、外郭５０１内を閉塞する絶縁性の板体５０２と、板体５０２の表裏を貫通する複数（図５の例では２本）の導電ピン５０３とを備える。そして、第２のハーメチックコネクタ５０は、後部筐体５１Ｂに形成された貫通孔５１６に嵌合した状態で当該貫通孔５１６の内面と外郭５０１の外面との間が溶接にて接合されることで後部筐体５１Ｂに固定される。すなわち、貫通孔５１６は、第２のハーメチックコネクタ５０にて気密に封止される。
そして、操作基板５６Ｃは、半田Ｓｏにて複数の導電ピン５０３に電気的に接続する。また、内部基板５９も同様に、半田Ｓｏにて複数の導電ピン５０３に電気的に接続する。すなわち、操作基板５６Ｃ及び内部基板５９は、複数の導電ピン５０３を介して互いに電気的に接続する。
なお、導電ピン５０３の数は、２本に限らず、１本でも、３本以上でも構わない。
【００３９】
透過部材５７は、透光性を有する例えばサファイアガラス等で構成され、後部筐体５１Ｂに形成された貫通孔５１７（図４）内に例えばろう接にて固定されている。すなわち、貫通孔５１７は、透過部材５７にて気密に封止される。以下では、光学素子５２、第１，第２のハーメチックコネクタ５５，５０、及び透過部材５７で密閉された筐体５１の内部空間を内部空間Ｓｐ（図４）と記載する。
本実施の形態では、透過部材５７（貫通孔５１７）は、図４に示すように、操作部５６における一対のボタン５６Ｂ１，５６Ｂ２の間の位置に対向する位置に設けられている。すなわち、透過部材５７（貫通孔５１７）は、操作部５６にて覆われている。
【００４０】
発光素子５８は、例えばＬＥＤ（Light  Emitting  Diode）等で構成され、内部基板５９と電気的に接続する。そして、発光素子５８は、制御装置９による制御の下、内部基板５９を介して供給された電力に応じて発光する。すなわち、内部基板５９は、発光素子５８への電力の供給経路となり、本発明に係るフレキシブルプリント基板に相当する。
本実施の形態では、発光素子５８は、図４に示すように、内部空間Ｓｐにおいて、貫通孔５１７内に設けられている。そして、発光素子５８から出射された光は、透過部材５７を介して、一対のボタン５６Ｂ１，５６Ｂ２に照射される。また、一対のボタン５６Ｂ１，５６Ｂ２に照射された光は、当該一対のボタン５６Ｂ１，５６Ｂ２の裏面側（図４中、下方側）から外表面側（図４中、上方側）に向けて透過する。
【００４１】
ここで、操作基板５６Ｃにおいて、発光素子５８から出射され、透過部材５７を介してボタン５６Ｂ１，５６Ｂ２に向かう光の通過領域（透過部材５７に対向する領域）には、貫通孔５６９（図４）が設けられている。すなわち、操作基板５６Ｃは、当該通過領域を避けた領域に設けられている。
また、内部基板５９は、図４に示すように、内部空間Ｓｐ側から貫通孔５１７を覆う。すなわち、内部基板５９は、発光素子５８と撮像素子５４１との間に位置する。そして、発光素子５８から撮像素子５４１に向かう光を遮光する遮光部材としての機能も有する。
【００４２】
以上説明した本実施の形態によれば、以下の効果を奏する。
本実施の形態に係る内視鏡用カメラヘッド５は、操作部５６を照明するための光を出射する発光素子５８を備える。
このため、当該発光素子５８から出射された光によって、ボタン５６Ｂの視認性を向上させることができる。したがって、医師等のユーザは、操作部５６に設けられた複数のボタン５６Ｂのうち所望の機能を実行するためのボタン５６Ｂを押下する際、薄暗い環境下であっても当該ボタン５６Ｂの視認性が向上しているため、どのボタン５６Ｂが所望の機能を実行するためのボタンであるかを容易に判断することができる。
【００４３】
ところで、内視鏡用カメラヘッド５は、生体内の観察前に、消毒液等による消毒処理や、所謂オートクレーブ処理が施される。このため、消毒液やオートクレーブ処理での高温高圧蒸気から発光素子５８を保護する必要がある。
本実施の形態に係る内視鏡用カメラヘッド５は、透光性を有するとともに筐体５１に設けられることで筐体５１を密閉する透過部材５７を備える。そして、発光素子５８は、透過部材５７にて密閉された筐体５１の内部空間Ｓｐに設けられている。
このため、ボタン５６Ｂの視認性を向上させつつ、消毒液やオートクレーブ処理での高温高圧蒸気から発光素子５８を効果的に保護することができる。
【００４４】
本実施に係る内視鏡用カメラヘッド５では、透過部材５７は、操作部５６にて覆われている。すなわち、発光素子５８から出射され、透過部材５７を介した光は、ボタン５６Ｂの裏面側に照射され、当該裏面側から外表面側に向けて透過する。
このため、ボタン５６Ｂ自体が発光している状態を擬似的に生成し、当該ボタン５６Ｂの視認性を良好に向上させることができる。
【００４５】
本実施の形態に係る内視鏡用カメラヘッド５では、操作基板５６Ｃは、筐体５１の外面とボタン５６Ｂとの間において、発光素子５８から出射され、透過部材５７を介してボタン５６Ｂに向かう光の透過領域を避けた領域に設けられている。
このため、ボタン５６Ｂに向かう光の光量が操作基板５６Ｃによって低減することがなく、当該ボタン５６Ｂの視認性を良好に向上させることができる。
【００４６】
本実施の形態に係る内視鏡用カメラヘッド５では、透過部材５７は、操作部５６における一対のボタン５６Ｂ１，５６Ｂ２の間の位置に対向する位置に設けられている。
このため、一対のボタン５６Ｂ１，５６Ｂ２の視認性を１つの発光素子５８にて向上させる構造とし、部品点数を削減することができる。
【００４７】
本実施の形態に係る内視鏡用カメラヘッド５では、発光素子５８は、内部空間Ｓｐにおいて、貫通孔５１７内に設けられている。また、内部基板５９は、発光素子５８と撮像素子５４１との間に位置し、発光素子５８から撮像素子５４１に向かう光を遮光する。
このため、貫通孔５１７の内面、及び内部基板５９によって、発光素子５８から撮像素子５４１に向かう光は遮光される。したがって、発光素子５８から出射された光が観察画像に与える影響を抑制することができる。
また、内部基板５９とは別に遮光部材を設ける構成と比較して、部品点数を削減することができる。
【００４８】
（その他の実施の形態）
ここまで、本発明を実施するための形態を説明してきたが、本発明は上述した実施の形態によってのみ限定されるべきものではない。
上述した実施の形態では、内視鏡用カメラヘッド５を本発明に係る医療用撮像装置として構成していたが、これに限らない。例えば、挿入部２を軟性内視鏡で構成し、当該軟性内視鏡の先端に撮像素子を設けた構成とレンズユニット５３や撮像部５４を省略した内視鏡用カメラヘッド５とを本発明に係る医療用撮像装置として構成しても構わない。
【００４９】
上述した実施の形態では、透過部材５７（貫通孔５１７）は、操作部５６にて覆われていた。すなわち、発光素子５８から出射され、透過部材５７を介した光は、一対のボタン５６Ｂ１，５６Ｂ２の裏面側に照射され、当該裏面側から外表面側に向けて透過していたが、これに限らない。
例えば、透過部材５７（貫通孔５１７）を操作部５６にて覆われる領域を避けた領域に設ける。そして、発光素子５８から出射され、透過部材５７を介した光は、操作部５６の外表面（操作部５６の側面）に照射される。このような構成を採用した場合には、ボタン本体５６４やガイド部材５６６としては、透光性を有する材料で構成する必要はない。
また、第１，第２筒部５１１，５１２及び接続部５１３は、互いの中心軸が一致するように一体形成されているものに限らず、互いの中心軸が異なっていてもよい。
【符号の説明】
【００５０】
１  医療用観察システム
２  挿入部
３  光源装置
４  ライトガイド
５  内視鏡用カメラヘッド
６  第１伝送ケーブル
７  表示装置
８  第２伝送ケーブル
９  制御装置
１０  第３伝送ケーブル
２１  接眼部
５０  第２のハーメチックコネクタ
５１  筐体
５１Ａ  前部筐体
５１Ｂ  後部筐体
５２  光学素子
５３  レンズユニット
５４  撮像部
５５  第１のハーメチックコネクタ
５６  操作部
５６Ａ  ボタン枠
５６Ｂ，５６Ｂ１，５６Ｂ２  ボタン
５６Ｃ  操作基板
５７  透過部材
５８  発光素子
５９  内部基板
５０１  外郭
５０２  板体
５０３  導電ピン
５１１  第１筒部
５１２  第２筒部
５１３  接続部
５１４  先端側開口
５１５  基端側開口
５１６，５１７  貫通孔
５４１  撮像素子
５５１  外郭
５５２  板体
５５３  導電ピン
５６１，５６１Ａ  開口部
５６２  凹部
５６３  挿通孔
５６４  ボタン本体
５６４Ａ  文字
５６５  ピン
５６６  ガイド部材
５６７  基部
５６８  スイッチ素子
５６９  貫通孔
Ａｒ１  先端側
Ａｒ２  基端側
ＣＮ１，ＣＮ２  コネクタ
Ｎｕ  ナット
Ｓｃ  ネジ
Ｓｏ  半田
Ｓｐ  内部空間
【図１】
2020127619.tif 000003
【図２】
2020127619.tif 000004
【図３】
2020127619.tif 000005
【図４】
2020127619.tif 000006
【図５】
2020127619.tif 000007